(57)【要約】【課題】荷台を後方にスライド移動させるときにおける、ブームと鳥居との干渉問題を防止するとともに、面倒なクレーンとの干渉防止のための回避作業を不要とし得るクレーン付き車両運搬車の荷台干渉防止装置を提供する。【解決手段】この荷台干渉防止装置２０は、ブーム角度検出部２１と、そのブーム角度検出部２１からの検出信号に基づいて、荷台２の後方へのスライド移動を制御するコントローラ３０とを備え、ブーム角度検出部２１は、ブーム１４が鳥居３との干渉を生じる範囲内にあるときは、検出信号を出力し、コントローラ３０は、検出信号を受けているときは、ブーム１４と鳥居３との干渉を避けるようにコントロールバルブ１８を制御する。【選択図】図１
2010126300.tif 000002
【特許請求の範囲】
【請求項１】
車両を積載するために自車両の後方にスライド移動可能な荷台と、該荷台と運転席との間に架装される車両搭載型のクレーンとを有し、該クレーンのブームを前記荷台側に向けた姿勢で格納するクレーン付き車両運搬車に用いられ、前記荷台を後方にスライド移動させるときに、前記荷台の前方に設けられた鳥居が、前記クレーンの格納姿勢時のブームに干渉することを防止する荷台干渉防止装置であって、
前記鳥居が前記ブームに干渉する範囲を検出するブーム角度検出部と、該ブーム角度検出部の検出信号に基づいて、前記荷台のスライド移動用、ブーム起立作動用およびフック巻き下げ作動用の切換制御弁を有するコントロールバルブを制御するコントローラとを備え、
前記ブーム角度検出部は、前記ブームが前記鳥居との干渉を生じる範囲内にあるときに、前記検出信号を出力するようになっており、
前記コントローラは、前記荷台の後方へのスライド操作が行なわれたときに、前記検出信号を受けているときは、前記荷台の後方へのスライド移動、ブーム起立作動およびフック巻き下げ作動を、前記ブームと前記鳥居との干渉を避けるように前記コントロールバルブを制御することを特徴とするクレーン付き車両運搬車の荷台干渉防止装置。
【請求項２】
前記コントローラは、前記検出信号を受けているときは、前記荷台のスライド移動と同時に、前記ブームが前記鳥居との干渉を避ける側への、ブーム起立作動およびフック巻き下げ作動も行うようにコントロールバルブを制御することを特徴とする請求項１に記載のクレーン付き車両運搬車の荷台干渉防止装置。
【請求項３】
前記コントローラは、前記検出信号を受けているときは、前記荷台の後方へのスライド移動を禁止するとともに、前記ブームが前記鳥居との干渉を避ける側への、ブーム起立作動およびフック巻き下げ作動を行うようにコントロールバルブを制御し、その後に、前記検出信号を受けていないときは、前記荷台の後方へのスライド移動を許容することを特徴とする請求項１に記載のクレーン付き車両運搬車の荷台干渉防止装置。
【請求項４】
前記ブーム角度検出部は、コラムに設けられたリミットスイッチと、該リミットスイッチのアクチュエータに対向して前記ブーム側に配置されたドックとを有し、前記リミットスイッチは、前記ブームの角度が前記鳥居との干渉を生じる範囲内にあるときに限って、前記アクチュエータが前記ドックに押されて前記検出信号を出力することを特徴とする請求項１に記載のクレーン付き車両運搬車の荷台干渉防止装置。
【発明の詳細な説明】
【技術分野】
【０００１】
本発明は、クレーンのブームを荷台側に向けた姿勢で格納するクレーン付き車両運搬車において、クレーンのブームと荷台の鳥居との干渉を防止する荷台干渉防止装置に関する。
【背景技術】
【０００２】
この種のクレーン付き車両運搬車においては、車両を積載するために、自車両の後方にスライド移動可能な荷台を有するとともに、車両を積載するために、荷台と運転席との間に車両搭載型のクレーンを架装している。
【特許文献１】特開２００１−１６３１１１号公報
【特許文献２】特開２０００−２７２８７７号公報
【特許文献３】特開２００１−２３３５８７号公報
【発明の開示】
【発明が解決しようとする課題】
【０００３】
しかしながら、この種のクレーン付き車両運搬車において、クレーンのブームを荷台側に向けた姿勢（以下、「格納姿勢」という）に位置させている場合に、その格納姿勢の状態のままで荷台を自車両の後方にスライド移動させたときは、荷台の前方に設けられた鳥居の上面が格納姿勢時のブームの下面と干渉するという問題がある。これは、通常、この種のクレーン付き車両運搬車では、荷台を後方にスライド移動させる場合、その荷台の動作が、荷台の鳥居側を持ち上げて荷台を後傾させつつ、斜め後方にスライド移動させるようになっているためである（例えば特許文献１参照）。
【０００４】
そのため、作業者は、荷台のスライド操作をする前に、ブームを干渉しない位置まで起立させたり、または自車両の前方にブームを旋回させたりして、鳥居との干渉を回避させなければならない。ここで、クレーンの作動操作は、例えばブームを起立させる場合であれば、単にブームの起立操作だけではなく、フックの巻き下げ操作も同時に行って、ブームとフックとの当接についても回避させなければならないため、作業者にとっては面倒な操作である。
【０００５】
また、通常、作業者は、荷台のスライド移動時には、荷台後方側での安全を目視によって常に確認しながら操作を行う。そのため、自車両の後方への荷台のスライド時に、上述のようなブームの回避操作をうっかり忘れて荷台をスライド操作してしまうと、荷台前方の鳥居側への注意が不十分となり、上記のような干渉問題が生じてしまうことになりかねない。
【０００６】
ここで、例えば特許文献２ないし３には、車両搭載型のクレーンと荷台の鳥居との干渉問題を課題とする技術が開示される。しかし、特許文献２に記載の技術は、クレーンの架装時におけるクレーンと鳥居との干渉問題を解決するものであり、また、特許文献３に記載の技術は、クレーン作業中におけるクレーンと荷台の鳥居との干渉問題を解決する技術である。そして、いずれの技術もクレーン付き車両運搬車に係るものでもないため、クレーン付き車両運搬車において、荷台を後方にスライド移動させた際の、クレーンと荷台の鳥居との干渉問題を解決することはできない。
【０００７】
そこで、本発明は、このような問題点に着目してなされたものであって、車両搭載型クレーンのブームを荷台側に向けた格納姿勢で格納するクレーン付き車両運搬車において、荷台を自車両の後方にスライド移動させる際に、ブームと鳥居との干渉問題を未然に防ぐとともに、面倒なクレーンとの干渉防止のための回避作業を不要とし得るクレーン付き車両運搬車の荷台干渉防止装置を提供することを目的としている。
【課題を解決するための手段】
【０００８】
上記課題を解決するために、本発明は、車両を積載するために自車両の後方にスライド移動可能な荷台と、該荷台と運転席との間に架装される車両搭載型のクレーンとを有し、該クレーンのブームを前記荷台側に向けた姿勢で格納するクレーン付き車両運搬車に用いられ、前記荷台を後方にスライド移動させるときに、前記荷台の前方に設けられた鳥居が、前記クレーンの格納姿勢時のブームに干渉することを防止する荷台干渉防止装置であって、前記鳥居が前記ブームに干渉する範囲を検出するブーム角度検出部と、該ブーム角度検出部の検出信号に基づいて、前記荷台のスライド移動用、ブーム起立作動用およびフック巻き下げ作動用の切換制御弁を有するコントロールバルブを制御するコントローラとを備え、前記ブーム角度検出部は、前記ブームが前記鳥居との干渉を生じる範囲内にあるときに、前記検出信号を出力するようになっており、前記コントローラは、前記荷台の後方へのスライド操作が行なわれたときに、前記検出信号を受けているときは、前記荷台の後方へのスライド移動、ブーム起立作動およびフック巻き下げ作動を、前記ブームと前記鳥居との干渉を避けるように前記コントロールバルブを制御することを特徴としている。
【０００９】
本発明に係るクレーン付き車両運搬車の荷台干渉防止装置によれば、ブーム角度検出部、およびコントローラを備えており、ブーム角度検出部は、ブームが鳥居との干渉を生じる範囲内にあるときは、検出信号を出力し、コントローラは、検出信号を受けているときは、ブームが鳥居との干渉を避けるように、荷台のスライド移動、ブーム起立作動およびフック巻き下げ作動のコントロールバルブを制御するので、荷台を後方にスライド移動させる際のブームと鳥居との干渉問題を防止するとともに、面倒なクレーンとの干渉防止のための回避作業を不要とすることができる。
【００１０】
ここで、特に荷台の後方へのスライド移動時においては、鳥居が上昇する範囲は所定の範囲内に定まっているため、クレーンのブームの起立動作については、鳥居との干渉を避けるためのブーム角度としては、常に同じ角度の範囲を監視し、この角度の範囲だけを避けてブームを起立させておけば、確実に鳥居との干渉を回避することができる。
すなわち、本発明に係るクレーン付き車両運搬車の荷台干渉防止装置において、例えば、前記ブーム角度検出部は、コラムに設けられたリミットスイッチと、該リミットスイッチのアクチュエータに対向して前記ブーム側に配置されたドックとを有し、前記リミットスイッチは、前記ブームの角度が前記鳥居との干渉を生じる範囲内にあるときに限って、前記アクチュエータが前記ドックに押されて前記検出信号を出力すると、好ましい。このような構成であれば、ブームが鳥居と干渉を生じる範囲（角度）内として、鳥居の上昇可能な一定の範囲（角度）に対応させてブーム角度検出部を設けることが容易である。そして、この一定の範囲においてリミットスイッチのアクチュエータがドックに押されて検出信号を出力するように設けているので、コントローラによってブームが鳥居との干渉を避けるようにする制御を容易に構成する上で好適である。
【００１１】
さらに、本発明に係るクレーン付き車両運搬車の荷台干渉防止装置において、例えば、前記コントローラは、前記検出信号を受けているときは、前記荷台のスライド移動と同時に、前記ブームが前記鳥居との干渉を避ける側への、ブーム起立作動およびフック巻き下げ作動も行うようにコントロールバルブを制御すると、好ましい。このような構成であれば、荷台の後方へのスライド操作に連動してブームの起立作動およびフックの巻き下げ作動がなされるため、一連の荷台干渉防止のための動作を効率良く円滑に行う上で好適である。
【００１２】
また、本発明に係るクレーン付き車両運搬車の荷台干渉防止装置において、例えば、前記コントローラは、前記検出信号を受けているときは、前記荷台の後方へのスライド移動を禁止するとともに、前記ブームが前記鳥居との干渉を避ける側への、ブーム起立作動およびフック巻き下げ作動を行うようにコントロールバルブを制御し、その後に、前記検出信号を受けていないときは、前記荷台の後方へのスライド移動を許容するように構成してもよい。このような構成であれば、干渉防止のための、ブームの起立作動およびフックの巻き下げ作動がなされてから、荷台の後方へのスライド移動が順次に行われるので、作業者が、荷台干渉防止に係る動作を確実に確認する上で好適である。
【発明の効果】
【００１３】
上述のように、本発明に係るクレーン付き車両運搬車の荷台干渉防止装置によれば、荷台を後方にスライド移動させる際の、ブームと鳥居との干渉問題を防止するとともに、面倒なクレーンとの干渉防止のための回避作業を不要とすることができる。
【発明を実施するための最良の形態】
【００１４】
以下、本発明の第一の実施形態について、図面を適宜参照しつつ説明する。図１は、本発明に係るクレーン付き車両運搬車の荷台干渉防止装置を備えるクレーン付き車両運搬車の一実施形態を説明する側面図である。
図１に示すように、このクレーン付き車両運搬車１は、車両を積載するために、自車両の後方にスライド移動可能な荷台２を有している。この荷台２は、不図示の荷台スライド移動用の油圧シリンダによってスライド駆動がなされる。また、この荷台２の前端部には、荷台２に積載した車両や貨物等の運転室４側の部材への接触を防止するための鳥居３が取り付けられている。そして、この荷台２の前端と運転席４との間に車両搭載型のクレーン１０が架装されている。なお、このクレーン付き車両運搬車１は、同図に示すように、クレーン１０のブーム１４が、荷台２側に向けた格納姿勢で格納される仕様である。
【００１５】
クレーン１０は、シャーシフレーム５上に横架して取り付けられた基台部１１と、その基台部１１の左右に張り出し自在に取り付けられた一対のアウトリガ１２と、基台部１１に旋回自在に立設されたコラム１３と、自身基端部がコラム１３の上端部に起伏および伸縮自在に取り付けられたブーム１４とを備えている。また、コラム１３の下端部とブーム１４基端部との間には、ブーム１４を起伏駆動するためのブーム起伏用の油圧シリンダ１５が配置されている。さらに、ブーム１４は、その先端部にフック１６が吊下され、このフック１６は、コラム１３に配設されたウインチ８により巻き上げ巻き下げがなされ、ウインチ８はウインチ用の油圧モータ１７によって駆動されるようになっている。なお、不図示の荷台スライド移動用の油圧シリンダ、油圧シリンダ１５及び油圧モータ１７は、何れも車両のエンジンで駆動される不図示の油圧ポンプからコントロールバルブ１８を介して圧油を給排することにより作動する。
【００１６】
ここで、このクレーン付き車両運搬車１は、荷台２を後方にスライド移動させるときに、荷台２の前方に設けられた鳥居３が、図１に示す格納姿勢時のブーム１４に干渉することを防止する荷台干渉防止装置２０を備えている。以下、この荷台干渉防止装置２０について詳しく説明する。
この荷台干渉防止装置２０は、図１に示すように、ブーム角度検出部２１およびコントローラ３０を有して構成されている。そして、コントローラ３０は、ブーム角度検出部２１の検出信号に基づいて、荷台２の後方へのスライド移動用のバルブ（後述の切換制御弁１８ｃ、１８ｂ、１８ａ）を含むコントロールバルブ１８を制御するようになっている。このコントロールバルブ１８は、クレーン１０の各アクチュエータをそれぞれ制御するための切換制御弁を連結して構成した多連結弁装置であり、図１に示す操作レバー１９による機側操作及び遠隔操作器（図示略）による遠隔操作が可能であり、さらに、コントローラ３０からの制御信号に応じて制御されるようになっている。
【００１７】
詳しくは、ブーム角度検出部２１は、本実施形態の例では、図２（ｂ）に拡大図示するように、リミットスイッチ２２、およびドック２４から構成されており、リミットスイッチ２２からの検出信号がコントローラ３０に送られるようになっている。このリミットスイッチ２２は、コラム１３の上部に設けられている。一方、ドック２４は、リミットスイッチ２２のアクチュエータ２２ａに対向してブーム１４側に配置されている。そして、このリミットスイッチ２２およびドック２４の設置位置は、ブーム１４の角度が鳥居３との干渉を生じる範囲（図６（ａ）に示す角度θであって例えば２０°）内にあるときに限って、リミットスイッチ２２のアクチュエータ２２ａがドック２４に押された状態にあるように設置されている。また、リミットスイッチ２２は、ブーム１４が鳥居３との干渉を生じる範囲（角度θ）内にないときは、ドック２４からアクチュエータ２２ａが離間し、検出信号が出力されないようになっている。
【００１８】
コントロールバルブ１８は、図３に示すように、上記荷台スライド移動用の油圧シリンダ、ブーム起伏用の油圧シリンダ１５、及びウインチ用の油圧モータ１７をそれぞれ制御するための荷台スライド移動用の切換制御弁１８ｃ、ブーム起伏用の切換制御弁１８ｂ、ウインチ用の切換制御弁１８ａを有して構成されている。
この荷台スライド移動用の切換制御弁１８ｃ、ブーム起伏用の切換制御弁１８ｂ及びウインチ用の切換制御弁１８ａには、通常は中立位置に保持されるメインスプール（不図示）が内蔵され、また、それぞれメインスプールの制御を行うためのパイロット弁（不図示）が設けられている。そして、各切換制御弁１８ｃ、１８ｂ、１８ａは、その左右のソレノイド（図３の符号ａ，ｂ）に、コントローラ３０からの制御信号が入力されると、その制御信号に応じてパイロット弁のパイロットスプールが摺動し、入力電流値によってポートの開口量が制御されてパイロット圧油が供給され、これに応じてメインスプールが左又は右に移動し、各切換制御弁１８ｃ、１８ｂ、１８ａから圧油が給排されて、上記荷台スライド移動用の油圧シリンダ、油圧シリンダ１５、及び油圧モータ１７をそれぞれ作動させるようになっている。
【００１９】
コントローラ３０は、リミットスイッチ２２からの検出信号を受けているときは、コントロールバルブ１８の各切換制御弁１８ｃ、１８ｂ、１８ａを制御し、ブーム１４が鳥居３との干渉を避けるように、荷台２のスライド移動、ブーム起立作動およびフック巻き下げ作動を行う。一方、検出信号を受けていないときは、荷台２の後方へのスライド移動を許可するようにコントロールバルブ１８を制御する。
【００２０】
詳しくは、コントローラ３０は、以下不図示の、所定の制御プログラムに基づいて演算およびクレーン１０のシステム全体を制御するＣＰＵと、所定領域にあらかじめＣＰＵの制御プログラム等を格納しているＲＯＭと、このＲＯＭから読み出したデータやＣＰＵの演算過程で必要な演算結果を格納するためのＲＡＭと、上記操作レバー１９およびブーム角度検出部２１を含む外部装置に対してデータの入出力を媒介するインターフェースとを有して構成されており、これらは、データを転送するための信号線であるバスで相互にかつデータ授受可能に接続されている。
【００２１】
そして、このコントローラ３０は、図３に示すように、ウインチ巻回選択部３０ａ、ブーム起伏選択部３０ｂ、荷台昇降選択部３０ｃを有し、ＣＰＵは、ＲＯＭの所定領域に格納されている所定のプログラムを起動させ、そのプログラムに従って上記コントロールバルブ１８を制御するとともに、図４のフローチャートに示す荷台干渉防止処理を実行し、各選択部３０ａ、３０ｂ、３０ｃを適宜切り換えるとともに、切換制御弁１８ａ、１８ｂ、１８ｃの左右のソレノイド（図３の符号ａ，ｂ）に制御信号を、増幅回路等を介して出力するようになっている。
【００２２】
すなわち、図４に示す荷台干渉防止処理は、操作レバー１９によって荷台の後退操作により、荷台２の後方へのスライド操作の信号がコントローラ３０に入力されると、コントローラ３０のＣＰＵで実行されて、まず、ステップＳ１に移行する。ステップＳ１では、リミットスイッチ２２からの検出信号を受けているか否かを判定し、検出信号を受けていれば（ＯＮ）ステップＳ２に移行し、そうでなければ（ＯＦＦ）ステップＳ３に移行する。ステップＳ２では、荷台２のスライド移動と同時に、ブーム１４が鳥居３との干渉を避ける側への、ブーム起立作動およびフック巻き下げ作動も３連動作動するように、制御信号を出力し、コントロールバルブの切換制御弁１８ｃ、１８ｂ、１８ａを制御して処理をステップＳ１に戻す。
【００２３】
なお、コントローラ３０のメモリには、各切換制御弁１８ａ、１８ｂ、１８ｃのメインスプールの所要の作動制限量を求めた制御データが予め記憶されており、この作動制限量の制御データに基づいた制御信号により、円滑且つ迅速にクレーン１０のブーム１４と鳥居３との干渉防止のための一連の回避作動がなされる。一方、ステップＳ３では、作業者からの操作レバー１９による荷台の後退操作そのものを制御信号としてコントロールバルブ１８を制御する。
【００２４】
次に、このクレーン付き車両運搬車の荷台干渉防止装置の動作、およびその作用・効果について説明する。
いま、クレーン１０のブーム１４を荷台２側に向けた格納姿勢（図１参照）で、作業者が、操作レバー１９によって荷台の後退操作を行うと、荷台昇降スイッチ３０ｃが後進側に切り換えられるとともに、コントローラ３０において荷台干渉防止処理が実行される。このとき、ブーム１４は格納姿勢の状態である。そのため、ブーム格納リミットスイッチ２２がドック２４を検出して検出信号が出力される。このとき、図３に示すリミットスイッチ２２はＮＯ側となる。さらに、コントローラ３０は、検出信号を受信しているので、荷台後進スライド作動、ブーム起立作動、フック巻き下げ作動の３連動作動を実行する（ステップＳ２）。
【００２５】
すなわち、コントローラ３０では、ウインチ巻回選択部３０ａで巻下げ側が選択され、ブーム起伏選択部３０ｂで起き側が選択され、荷台昇降選択部３０ｃで後進側が選択され、各選択部３０ａ、３０ｂ、３０ｃから制御信号が、増幅回路等を介して切換制御弁１８ａ、１８ｂ、１８ｃに出力される。したがって、荷台スライド移動用の切換制御弁１８ｃは圧油の供給により荷台スライド移動用の油圧シリンダを伸長又は縮小して荷台２の後方へのスライド移動を行い、また、ブーム起伏切換制御弁１８ｂも圧油の供給により油圧シリンダ１５を伸長してブーム１４の起立作動が連動して行われる。さらに、ウインチ用の切換制御弁１８ａも圧油の供給により油圧モータ１７を巻下げ側に回転してフック１６の巻下げ作動が連動して行われる。
【００２６】
これにより、荷台２の後方へのスライド作動とブーム１４の起立作動とフック１６の巻下げ作動とが、ブーム１４と荷台２の鳥居３との干渉を防止しつつ所定配分で連動されるので、荷台２を自車両の後方にスライド移動させる際に、ブーム１４と鳥居３との干渉問題を未然に防ぐことができる。また、作業者は、面倒な、ブーム１４と鳥居３との干渉防止のためのクレーン１０の回避作業が不要である。
【００２７】
そして、ブーム１４が鳥居３に干渉する範囲外まで起立され、ドック２４がリミットスイッチ２２から外れると（図６参照）リミットスイッチ２２は図３のＮＣ側となり、また、リミットスイッチ２２から検出信号が出力されず、これにより、コントローラ３０での荷台干渉防止処理は、荷台２後進の単独作動を行うステップに移る（ステップＳ３）。したがって、作業者が、操作レバー１９によって荷台２の後退操作を行うとそれに対応して荷台２がスライド移動される通常の操作が可能となる。
【００２８】
このように、このクレーン付き車両運搬車１は、荷台２を後方にスライド移動させるときに、荷台２の前方に設けられた鳥居３が、クレーン１０の格納姿勢時のブーム１４に干渉することを防止する荷台干渉防止装置２０を備えているので、作業者のうっかりミス等による干渉（図５に示す符号Ｋの部分の干渉）の問題を未然に防ぎ、さらに、コントローラ３０によってクレーン１０の回避作動が自動的に行なわれるので、作業者は、面倒なクレーンとの干渉防止のための回避作業が不要であり、荷台２の後進動作を容易に行うことができる。
【００２９】
また、この荷台干渉防止装置２０によれば、ブーム角度検出部２１は、コラム１３に設けられたリミットスイッチ２２と、そのリミットスイッチ２２のアクチュエータ２２ａに対向してブーム１４側に配置されたドック２４とを有し、リミットスイッチ２２は、ブーム１４の角度が鳥居３との干渉を生じる範囲（角度θ）内にあるときに限って、アクチュエータ２２ａがドック２４に押されて検出信号を出力するので、ブーム１４が鳥居３と干渉を生じる範囲内として、鳥居３の上昇可能な一定の範囲に対応させてブーム角度検出部２１を設けることが容易である。そして、この一定の範囲においてリミットスイッチ２２のアクチュエータ２２ａがドック２４に押されて検出信号を出力するように設けているので、コントローラ３０によってブーム１４が鳥居３との干渉を避けるようにする制御を容易に構成することができる。
【００３０】
さらに、この荷台干渉防止装置２０によれば、コントローラ３０は、荷台２の後方へのスライド操作が行なわれたときに、検出信号を受けているときは、荷台２のスライド移動と同時に、ブーム１４が鳥居３との干渉を避ける側への、ブーム起立作動およびフック巻き下げ作動も行うようにコントロールバルブ１８を制御するので、荷台２の後方へのスライド操作に連動してブームの起立作動およびフックの巻き下げ作動がなされるため、一連の荷台干渉防止制御を効率良く円滑に行うことができる。
【００３１】
なお、本発明に係るクレーン付き車両運搬車の荷台干渉防止装置は、上記実施形態に限定されるものではなく、本発明の趣旨を逸脱しなければ種々の変形が可能である。
例えば、上記実施形態では、荷台干渉防止のための動作を、荷台２の後方へのスライド操作に連動して、ブーム１４の起立作動およびフック１６の巻き下げ作動もなされる例で説明したが、これに限定されず、荷台干渉防止のための動作は、荷台２の後方へのスライド移動、ブーム１４の起立作動およびフック１６の巻き下げ作動を、ブーム１４と鳥居３との干渉を避けるように行うものであれば、種々の変形が可能である。
【００３２】
例えば、以下に変形例を示す。この変形例は、ブーム１４の起立作動およびフック１６の巻き下げ作動を先行して行い、その後に、荷台２の後方へのスライド移動を行う点が上記実施形態と異なっている。
図７に示すように、この変形例では、作業者が操作レバー１９を操作して、荷台昇降スイッチ３０ｃを後進側に操作したときに、ブーム１４は格納状態（リミットスイッチ２２はドック２４を検出）のため、リミットスイッチはＮＯ側である。このとき、コントローラ３０は、検出信号を受けているときは、ウインチ８の巻下げ、ブーム１４の起立のみを行うように、切換制御弁１８ｂ、１８ａにのみ制御信号を送出するようになっている。その後に、ブーム１４が干渉しない位置まで起立し、ドック２４がリミットスイッチ２２のアクチュエータ２４から外れると、ウインチ８、およびブーム１４の切換制御弁１８ｂ、１８ａには制御信号が送出されず、切換制御弁１８ｃのみが制御されて、荷台２の後進作動制御を単独で行うようになっている。
【００３３】
すなわち、この変形例での荷台干渉防止処理は、図８に示すように、操作レバー１９で荷台２の後退操作がされて、荷台２の後方へのスライド操作の信号がコントローラ３０に入力されると、コントローラ３０のＣＰＵで実行されて、まず、ステップＳ１に移行する。ステップＳ１では、リミットスイッチ２２からの検出信号を受けているか否かを判定し、検出信号を受けていれば（ＯＮ）ステップＳ２に移行し、そうでなければ（ＯＦＦ）ステップＳ３に移行する。ステップＳ２では、荷台２のスライド移動は行わず、ブーム１４が鳥居３との干渉を避ける側への、ブーム起立作動およびフック巻き下げ作動のみを行うように、制御信号を出力し、コントロールバルブの切換制御弁１８ｂ、１８ａのみを制御して処理をステップＳ１に戻す。そして、ステップＳ３では、操作レバー１９による荷台の後退操作そのものを制御信号としてコントロールバルブ１８を制御する。
【００３４】
この変形例の荷台干渉防止装置では、ブーム１４が格納姿勢のとき、図７に示すリミットスイッチ２２はＮＯ側である。したがって、ブーム起立作動、フック巻き下げ作動を２連動同時に行う（ステップＳ２）。このとき、荷台２の後進スライド作動はまだ作動しない。そして、ブーム１４が鳥居３との干渉を生じる範囲（角度θ）を超えて起立し、ドック２４がリミットスイッチ２２のアクチュエータ２２ａから外れると（図６参照）、リミットスイッチ２２はＮＣ側となり、荷台２の後進作動が開始される（ステップＳ３）。
【００３５】
すなわち、この変形例の荷台干渉防止装置によれば、コントローラ３０は、荷台２の後方へのスライド操作が行なわれたときに、検出信号を受けているときは、荷台２の後方へのスライド移動を禁止するとともに、ブーム１４が鳥居３との干渉を避ける側への、ブーム起立作動およびフック巻き下げ作動を行うようにコントロールバルブ１８を制御し、その後に、検出信号を受けていないときは、荷台２の後方へのスライド移動を許容するように構成したので、干渉防止のための、ブーム１４の起立作動およびフック１６の巻き下げ作動がなされてから、荷台２の後方へのスライド移動が順次に行われる。したがって、作業者が、荷台干渉防止に係る動作を確実に確認しつつ作業を行うことができる。
【図面の簡単な説明】
【００３６】
【図１】本発明に係るクレーン付き車両運搬車の荷台干渉防止装置を備えるクレーン付き車両運搬車の一実施形態を説明する側面図である。
【図２】荷台干渉防止装置のブーム角度検出部を説明する図であり、同図（ａ）は、図１の要部拡大図、同図（ｂ）は同図（ａ）のＡ部拡大図である。
【図３】荷台干渉防止装置の構成を説明するためのブロック図である。
【図４】コントローラで実行される荷台干渉防止処理の一例のフローチャートである。
【図５】荷台干渉防止装置の動作を説明する図であり、同図はクレーン付き車両運搬車の側面図を示している。
【図６】荷台干渉防止装置のブーム角度検出部を説明する図であり、同図は図２に対応する図をそれぞれ示している。
【図７】荷台干渉防止装置の他の構成例を説明するためのブロック図である。
【図８】コントローラで実行される荷台干渉防止処理の他の例のフローチャートである。
【符号の説明】
【００３７】
１    クレーン付き車両運搬車
２    荷台
３    鳥居
４    運転席
５    シャーシフレーム
８    ウインチ
１０    クレーン
１１    基台部
１２    アウトリガ
１３    コラム
１４    ブーム
１５    （ブーム起伏用の）油圧シリンダ
１６    フック
１７    ウインチ用油圧モータ
１８    コントロールバルブ
１９    操作レバー
２０    荷台干渉防止装置
２１    ブーム角度検出部
２２    リミットスイッチ
２４    ドック
３０    コントローラ
【図１】
2010126300.tif 000003
【図２】
2010126300.tif 000004
【図３】
2010126300.tif 000005
【図４】
2010126300.tif 000006
【図５】
2010126300.tif 000007
【図６】
2010126300.tif 000008
【図７】
2010126300.tif 000009
【図８】
2010126300.tif 000010